(57)【要約】      （修正有）【課題】材料費や重量の増加を回避できるとともに、太径の組紐を用いる場合でも製造が困難になるといった問題のないフロートネットを提供する。【解決手段】フロートを包み込む袋状のフロートネットであって、前記フロートネットは、繊維束を組み込んだ一方の組紐３−１と他方の組紐３−２を、多数の網目を形成するように交差させたものであり、前記一方，他方の組紐が交差する交差部４−１は、前記一方の組紐３−１の前記交差部４−１に対応する部位３−１ａを径方向に拡げて形成された一方の交差穴３−１ａ′に前記他方の組紐３−２を挿通させるとともに、該他方の組紐３−２の前記交差部４−１に対応する部位３−２ａを径方向に拡げて形成された他方の交差穴３−２ａ′に前記一方の組紐３−１を挿通させてなるダブル刺構造を有する。【選択図】図８
0003153810.tif 000002
【実用新案登録請求の範囲】
【請求項１】
フロートを包み込む袋状のフロートネットであって、
前記フロートネットは、繊維束を組み込んだ一方の組紐と他方の組紐を、多数の網目を形成するように交差させたものであり、
前記一方，他方の組紐が交差する交差部は、前記一方の組紐の前記交差部に対応する部位を径方向に拡げて形成された一方の交差穴に前記他方の組紐を挿通させるとともに、該他方の組紐の前記交差部に対応する部位を径方向に拡げて形成された他方の交差穴に前記一方の組紐を挿通させてなるダブル刺構造を有する
ことを特徴とするフロートネット。
【請求項２】
請求項１に記載のフロートネットにおいて、
前記一方の組紐の第１端末部は、前記他方の組紐の第２端末部に続く第２接続部内に挿入され、前記他方の組紐の第２端末部は、前記一方の組紐の第１端末部に続く第１接続部内に挿入されている
ことを特徴とするフロートネット。
【考案の詳細な説明】
【技術分野】
【０００１】
本考案は、海上や湖沼上での、船舶の繋留、養殖筏や定置網の固定等に使用されるフロート（浮体）の取扱性を改善するために採用されるフロートネット（浮体網）に関する。
【背景技術】
【０００２】
例えば、養殖筏を海上に固定する方法として、海上にフロートを所定間隔毎に浮かべるとともに、該各フロートに筏をロープ等で固定する方法が採用されている。この場合、前記フロートの取扱性を改善するために、フロートを袋状のカバー内に収容する方法が採用されている（例えば特許文献１参照）。
【先行技術文献】
【特許文献】
【０００３】
【特許文献１】特開２００６−００６２３９号公報
【考案の概要】
【考案が解決しようとする課題】
【０００４】
前記袋状カバー内にフロートを収容する方法では、フロートの取扱性をある程度改善できるものの、さらなる改善が求められている。一方、フロートの取扱性をさらに改善する方法として、フロートを筒型の網からなるフロートネット内に収容し、このフロートネットを手で持ってフロートを動かしたり、このフロートネットに筏をロープ等で固定したりする方法が採用可能である。
【０００５】
前記フロートネットは、主にナイロン、ポリプロピレン、ポリエチレン等の合成繊繊維素材からなるロープ（三ツ撚り）または組紐で作られる。
【０００６】
組紐で筒型のフロートネットを作る場合は、複数の組紐を結び合わせる（結節する）ことにより多数の網目を有するネットを形成し、このネットを筒型に成形する方法が採用可能である。
【０００７】
ところが組紐を結び合わせてネットを形成し、これを筒型に成形する方法の場合、必要な組紐長が、組紐を結び合わせる分だけ長くなるため材料費が嵩むとともに、重量が増加する問題があり、また結び目（結節）のこぶがフロート自体を傷めるといった問題もある。さらに径の大きい組紐を用いる場合は、結節作業自体が困難となるといった問題がある。
【０００８】
本考案は、前記従来の実情に鑑みてなされたものであり、材料費や重量の増加を回避できるとともに、太径の組紐を用いる場合でも製造が困難になるといった問題のないフロートネットを提供することを課題としている。
【課題を解決するための手段】
【０００９】
請求項１の考案は、フロートを包み込む袋状のフロートネットであって、前記フロートネットは、繊維束を組み込んだ一方の組紐と他方の組紐を、多数の網目を形成するように交差させたものであり、前記一方，他方の組紐が交差する交差部は、前記一方の組紐の前記交差部に対応する部位を径方向に拡げて形成された一方の交差穴に前記他方の組紐を挿通させるとともに、該他方の組紐の前記交差部に対応する部位を径方向に拡げて形成された他方の交差穴に前記一方の組紐を挿通させてなるダブル刺構造を有することを特徴としている。
【００１０】
請求項２の考案は、請求項１に記載のフロートネットにおいて、前記一方の組紐の第１端末部は、前記他方の組紐の第２端末部に続く第２接続部内に挿入され、前記他方の組紐の第２端末部は、前記一方の組紐の第１端末部に続く第１接続部内に挿入されていることを特徴としている。
【考案の効果】
【００１１】
請求項１の考案によれば、フロートネットを、一方の組紐と他方の組紐を、多数の網目ができるように交差させることにより形成したので、組紐を結び合わせる場合に比較して必要な組紐長が短くて済み、材料費及び重量を削減できる。また組紐を結び合わせる場合のような結び目によるこぶができることもなく、従ってコブによりフロートを傷つけるといった問題も生じない。
【００１２】
また、前記一方，他方の組紐が交差する交差部を、ダブル刺構造に構成したので、一方，他方の組紐を交差させるだけで両組紐が緩むのを防止でき、網目が外力によってずれるのを防止できる。
【００１３】
請求項２の考案によれば、一方の組紐の第１端末部を他方の組紐の第２端末部に続く第２接続部内に挿入するとともに、前記他方の組紐の第２端末部を前記一方の組紐の第１端末部に続く第１接続部内に挿入したので、前記一方，他方の組紐の端末処理が容易であり、かつ外観が良好である。
【図面の簡単な説明】
【００１４】
【図１】本考案の実施例１に係るフロートネットの側面図である。
【図２】前記フロートネットの左側方から見た斜視図である。
【図３】前記フロートネットの右側方から見た斜視図である。
【図４】前記フロートネットの製造方法を説明するための模式図である。
【図５】図４のV部分の拡大模式図である。
【図６】前記フロートネットの製造行程を示す図である。
【図７】前記フロートネットの製造行程を示す図である。
【図８】前記フロートネットの製造行程を示す図である。
【図９】前記フロートネットの製造行程を示す図である。
【図１０】前記フロートネットの製造行程を示す図である。
【図１１】前記フロートネットの製造行程を示す図である。
【図１２】前記フロートネットの製造行程を示す図である。
【図１３】前記フロートネットの製造行程を示す図である。
【図１４】前記フロートネットの交差部の拡大模式図である。
【考案を実施するための形態】
【実施例１】
【００１５】
以下、本考案の実施例１に係るフロートネットを添付図面に基づいて説明する。
【００１６】
図において、１は海上等に浮かべられ、例えば養殖筏を固定するために使用されるフロートであり、このフロート１は両端が閉塞された円筒形かつ袋状のフロートネット２内に収容されている。
【００１７】
前記フロート１は、発泡スチロール等で形成された卵形状で大きな浮力を有するフロート本体１ａを、布製の袋１ｂ内に収容した構成となっている。
【００１８】
前記フロートネット２は、ナイロン、ポリプロピレン、ポリエチレン等の合成繊維の束を編み込んで構成された複数本の組紐３，３・・を、多数の菱形の網目４ができるように交差させて筒状のネット筒体２′を形成し、このネット筒体２′の両端部２ａ′を絞り込んで相互に接続することにより筒体の両端開口を閉塞した構造のものである。前記各網目４を構成する４組の交差部４−１，４−１，４−２，４−２はいわゆるダブル刺構造を有する。
【００１９】
ここで、本実施例のフロートネット２を形成する組紐３としては、前記合成繊維の束４本からなる四ツ打(クロスロープ)、６本からなる六ツ打、８本からなる八ツ打、１２本からなる十二打、１６本からなる十六打のものが採用可能である。
【００２０】
また、後述する組紐を挿通させる交差穴の形成を容易にするために、前記合成繊維の束に撚りを掛け、あるいは合成繊維の束を緩く編み込むのが望ましい。
【００２１】
次に、前記フロートネット２の製造行程を簡単に説明する。
【００２２】
（１）図４に示すように、Ｕ字形状に折り曲げた組紐３，３，３・・・を必要本数準備し、一方の組紐３−１，３−１同士、他方の組紐３−２，３−２同士、あるいは一方の組紐３−１と他方の組紐３−２とを前記ダブル刺構造で交差させてなる交差部４−１又は４−２により接続することにより、前記各網目４を形成する。なお、組紐３−３，３−４についても同様である。
【００２３】
（２）前記ダブル刺構造の交差部４−１，４−２のうち、隣接する組紐同士を交差させてなる交差部４−１は以下の手順で作成される。まず、図５，図６に示すように、前記一方の組紐３−１の前記交差部４−１に対応する部位３−１ａを径方向に拡げて一方の交差穴３−１ａ′を形成し、該一方の交差穴３−１ａ′内に前記他方の組紐３−２を挿通させる。
【００２４】
（３）続いて、図５，図７，図８，図１４（ａ）に示すように、前記他方の組紐３−２の前記交差部４−１に対応する部位３−２ａを径方向に拡げて他方の交差３−２ａ′を形成し、該他方の交差穴３−２ａ′に前記一方の組紐３−１を挿通させる。
【００２５】
（４）そして図９、図１４（ｂ）に示すように、前記一方の組紐３−１と他方の組紐３−２を引っ張ることにより、交差部４−１が締まった交差状態となる。この交差部４−１は、一方の組紐３−１と他方の組紐３−２とを相互に交差させるだけであって、結び合わせるものではない。従って、前記交差部４−１の径は一方の組紐３−１又は他方の組紐３−２より僅かに大きくなっているものの、結び目を形成した場合よりはるかに小さい。
【００２６】
（５）一方の組紐３−１，３−１同士又は３−２，３−２同士を交差させてなる交差部４−２は、図５に示すように、前記交差部４−１と同様にして形成される。前記一方の組紐３−１の前記交差部４−２に対応する部位３−１ｂを径方向に拡げて第１の交差穴３−１ｂ′を形成し、該第１の交差穴３−１ｂ′内に前記一方の組紐３−１′を挿通させるとともに、該組紐３−１′の前記交差部４−２に対応する部位３−１ｃを径方向に拡げて第２の交差穴３−１ｃ′を形成し、該第２の交差穴３−１ｃ′に前記組紐３−１を挿通させる。
【００２７】
（６）前記各組紐３，３・・の端末処理は以下のように行われる。
【００２８】
図４，図１０，図１１に示すように、前記他方の組紐３−２の第２端末部３−２ｄは、前記一方の組紐３−１の第１端末部３−１ｄに続く第１接続部３−１ｅ内に挿入される。続いて図４，図１２，図１３に示すように、前記一方の組紐３−１の第１端末部３−１ｄは、前記他方の組紐３−２の第２端末部３−２ｄに続く第２接続部３−２ｅ内に挿入される。
【００２９】
このように、本実施例１では、フロートネット２を、一方の組紐３−１と他方の組紐３−２とを、あるいは一方の組紐３−１，３−１同士又は他方の組紐３−２，３−２同士を、多数の網目４ができるように交差させることにより形成したので、組紐３を結び合わせる場合に比較して必要な組紐長が短くて済み、材料費及び重量を削減できる。
【００３０】
また組紐３同士を結び合わせる（結節する）場合のような結び目によるコブができることもなく、従ってコブによりフロート１を傷つけるといった問題も生じない。
【００３１】
また、前記一方，他方の組紐３−１，３−２が交差する交差部４−１、及び一方の組紐同士又は他方の組紐同士が交差する交差部４−２を、ダブル刺構造に構成したので、２本の組紐を交差させるだけで両組紐が緩むのを防止でき、網目４を所定大きさに確実に保持できる。
【００３２】
さらにまた、一方の組紐３−１の第１端末部３−１ｄを他方の組紐３−２の第２端末部３−２ｄに続く第２接続部３−２ｅ内に挿入するとともに、前記他方の組紐３−２の第２端末部３−２ｄを前記一方の組紐３−１の第１端末部３−１ｄに続く第１接続部３−１ｅ内に挿入したので、前記一方，他方の組紐３−１，３−２の端末処理が容易であり、かつ外観を良好にできる。
【符号の説明】
【００３３】
１  フロート
２  フロートネット
３  組紐
３−１  一方の組紐
３−２他方の組紐
３−１ａ′  一方の交差穴
３−２ａ′  他方の交差穴
３−１ｄ  第１端末部
３−１ｅ  第１接続部
３−２ｄ  第２端末部
３−２ｅ  第２接続部
４  網目
４−１，４−２  交差部
【図１】
0003153810.tif 000003
【図２】
0003153810.tif 000004
【図３】
0003153810.tif 000005
【図４】
0003153810.tif 000006
【図５】
0003153810.tif 000007
【図６】
0003153810.tif 000008
【図７】
0003153810.tif 000009
【図８】
0003153810.tif 000010
【図９】
0003153810.tif 000011
【図１０】
0003153810.tif 000012
【図１１】
0003153810.tif 000013
【図１２】
0003153810.tif 000014
【図１３】
0003153810.tif 000015
【図１４】
0003153810.tif 000016